(57)【要約】【課題】外部光源の外光反射を低減し、蛍光体から放出される可視光線の反射を増加させると同時に、前面基板の開口率が画期的に向上し、永久残像が発生しないプラズマディスプレイパネルを提供する。【解決手段】透明な前面基板１２０と、前面基板１２０と平行に配置された背面基板１３０と、前面基板１２０と背面基板１３０の間に配置され、発光セルを区画し、誘電体より形成された不透明な上側隔壁１２７と、発光セルを取り囲むように上側隔壁１２７内に配置される上側放電電極１２２及び下側放電電極１２３と、上側隔壁１２７と背面基板１３０の間に配置される下側隔壁１３７と、下側隔壁１３７によって限定される空間内に配置される蛍光体層１３９と、発光セル内にある放電ガスと、を備える。【選択図】図２
2005276810.tif 000002
【特許請求の範囲】
【請求項１】
透明な前面基板と、
前記前面基板と平行に配置される背面基板と、
前記前面基板と背面基板の間に配置され、発光セルを区画し、かつ誘電体より形成される不透明な上側隔壁と、
前記発光セルを取り囲むように上側隔壁内に配置される上側放電電極及び下側放電電極と、
前記上側隔壁と背面基板の間に配置される下側隔壁と、
前記下側隔壁によって限定される空間内に配置される蛍光体層と、
前記発光セル内にある放電ガスと、を備えたプラズマディスプレイパネル。
【請求項２】
前記上側隔壁は、暗色を帯びることを特徴とする請求項１に記載のプラズマディスプレイパネル。
【請求項３】
前記上側隔壁には、暗色を帯びる顔料成分が含まれることを特徴とする請求項２に記載のプラズマディスプレイパネル。
【請求項４】
前記顔料成分は、ＣｄＳｅ、ＣｄＳ、ＣｏＯ、Ａｌ２Ｏ３、ＺｎＯ、Ｆｅ２Ｏ３、Ｃｒ２Ｏ３、ＭｎＯ２、ＣｕＯ、ＮｉＯよりなる群から選択される少なくとも一つを含むことを特徴とする請求項３に記載のプラズマディスプレイパネル。
【請求項５】
前記発光セルを取り囲むように前記上側隔壁内に配置される少なくとも一つのフローティング電極をさらに備えることを特徴とする請求項１に記載のプラズマディスプレイパネル。
【請求項６】
前記フローティング電極は、前記上側放電電極と前記下側放電電極の間を平行に一方向に延びることを特徴とする請求項５に記載のプラズマディスプレイパネル。
【請求項７】
前記前面基板内で一方向に延びるように配置される少なくとも一つのフローティング電極をさらに備えることを特徴とする請求項１に記載のプラズマディスプレイパネル。
【請求項８】
前記上側放電電極及び下側放電電極は、互いに平行に一方向に延び、
前記上側放電電極及び下側放電電極と交差するように延びるアドレス電極をさらに備えることを特徴とする請求項１に記載のプラズマディスプレイパネル。
【請求項９】
前記アドレス電極は、背面基板と蛍光体層間に配置され、前記アドレス電極と蛍光体層間には誘電体層が形成されることを特徴とする請求項８に記載のプラズマディスプレイパネル。
【請求項１０】
前記上側隔壁の側面は、保護膜によって覆われることを特徴とする請求項１に記載のプラズマディスプレイパネル。
【請求項１１】
透明な前面基板と、
前記前面基板と平行に配置される背面基板と、
前記前面基板と背面基板の間に配置され、発光セルを区画し、誘電体より形成される暗色の第１上側隔壁、及び前記第１上側隔壁の下面に積層され、誘電体より形成され、前記第１上側隔壁より光反射率の高い第２上側隔壁を備えた上側隔壁と、
前記発光セルを取り囲むように上側隔壁内に配置される上側放電電極及び下側放電電極と、
前記上側隔壁と背面基板の間に配置される下側隔壁と、
前記下側隔壁によって限定される空間内に配置される蛍光体層と、
前記発光セル内を満たす放電ガスと、を備えたプラズマディスプレイパネル。
【請求項１２】
前記第２上側隔壁は、明色を帯びることを特徴とする請求項１１に記載のプラズマディスプレイパネル。
【請求項１３】
前記第１上側隔壁には、暗色を帯びる顔料成分が含まれることを特徴とする請求項１１に記載のプラズマディスプレイパネル。
【請求項１４】
前記顔料成分は、ＣｄＳｅ、ＣｄＳ、ＣｏＯ、Ａｌ２Ｏ３、ＺｎＯ、Ｆｅ２Ｏ３、Ｃｒ２Ｏ３、ＭｎＯ２、ＣｕＯ、ＮｉＯよりなる群から選択された少なくとも一つを含むことを特徴とする請求項１３に記載のプラズマディスプレイパネル。
【請求項１５】
前記発光セルを取り囲むように前記上側隔壁内に配置される少なくとも一つのフローティング電極をさらに備えることを特徴とする請求項１１に記載のプラズマディスプレイパネル。
【請求項１６】
前記フローティング電極は、前記上側放電電極と前記下側放電電極の間を平行に一方向に延びることを特徴とする請求項１５に記載のプラズマディスプレイパネル。
【請求項１７】
前記前面基板内で一方向に延びるように配置される少なくとも一つのフローティング電極をさらに備えることを特徴とする請求項１１に記載のプラズマディスプレイパネル。
【請求項１８】
前記上側放電電極及び下側放電電極は、互いに平行に一方向に延び、
前記上側放電電極及び下側放電電極と交差するように延びるアドレス電極をさらに備えることを特徴とする請求項１１に記載のプラズマディスプレイパネル。
【請求項１９】
前記アドレス電極は、背面基板と蛍光体層間に配置され、前記アドレス電極と蛍光体層間には誘電体層が形成されることを特徴とする請求項１８に記載のプラズマディスプレイパネル。
【請求項２０】
前記上側隔壁の側面は、保護膜によって覆われることを特徴とする請求項１１に記載のプラズマディスプレイパネル。
【請求項２１】
前記上側放電電極は前記第１上側隔壁内に配置され、前記下側放電電極は前記第２上側隔壁内に配置されることを特徴とする請求項１１に記載のプラズマディスプレイパネル。
【発明の詳細な説明】
【技術分野】
【０００１】
本発明はガス放電を利用して文字やイメージを表現するプラズマディスプレイパネル（ＰＤＰ：Ｐｌａｓｍａ  Ｄｉｓｐｌａｙ  Ｐａｎｅｌ）に係り、さらに詳細には放電が発生する面が拡大されたＰＤＰに関する。
【背景技術】
【０００２】
最近、平板ディスプレイ装置としてＰＤＰを採用した装置は、大画面を有しつつも高画質、超薄型、軽量化及び広視野角の優秀な特性を有しており、他の平板ディスプレイ装置に比べて製造方法が簡単であり、大型化が容易で次世代大型平板ディスプレイ装置として脚光を浴びている。
【０００３】
このようなＰＤＰは、印加される放電電圧によって直流（ＤＣ：Ｄｉｒｅｃｔ  Ｃｕｒｒｅｎｔ）型、交流（ＡＣ：Ａｌｔｅｒｎａｔｉｖｅ  Ｃｕｒｒｅｎｔ）型及び混合型に分類され、放電構造によって対向放電型及び面放電型に分類される。
【０００４】
ＤＣ型ＰＤＰは、全ての電極が放電空間に露出される構造であって、対応する電極間に電荷の移動が直接的になされる。ＡＣ型ＰＤＰは、少なくとも一つの電極が誘電層で覆われ、対応する電極間に直接的な電荷の移動がなされない代わりに、壁電荷の電界によって放電が行われる。
【０００５】
ＤＣ型ＰＤＰでは、対応する電極間に電荷の移動が直接的になされるので、電極の損傷が甚だしくなる問題点があったため、最近では、ＡＣ型、特に３電極面放電構造を有するＡＣ型ＰＤＰが一般的に採用されている。
【０００６】
このようなＡＣ型３電極面放電ＰＤＰを含む従来の面放電ＰＤＰ１０には、図１に示されたように、前面基板２０と背面基板３０とを備える。
【０００７】
背面基板３０にはアドレス放電を発生させるアドレス電極３３と、前記アドレス電極を埋め込んだ背面誘電体層３５と、発光セルを区画した隔壁３７と、前記隔壁の両側及び前記隔壁の形成されていない背面基板に塗布された蛍光体層３９と、が形成される。
【０００８】
前記背面基板３０と離隔、対向するように配置された前面基板２０には、維持放電を発生させる共通電極２２及び走査電極２３、前記共通電極２２及び走査電極２３を埋め込んだ前面誘電体層２５、及び保護膜２９が備えられる。
【０００９】
しかし、従来のＰＤＰでは、放電空間の蛍光体層３９から発光された可視光線が通過する前面基板２０に、透明共通電極２２ａと前記透明共通電極の一側に配置されたバス共通電極２２ｂとを通常備えた共通電極２２、透明走査電極２３ａと前記透明走査電極２３ａの一側に配置されたバス走査電極２３ｂとを通常備えた走査電極２３と、前記共通走査電極上に順次に形成された前面誘電体層２５、及び保護膜２９が存在している。このような要素によって可視光線の透過率が６０％ほどになる重大な問題点を有している。
【００１０】
また、従来の面放電ＰＤＰ１０では放電を起こす電極が放電空間の上面、すなわち、可視光線が通過する前面基板２０の内面に形成されて放電がその内面で発生して広まるので、発光効率が低くなるという本質的な問題点を有している。
【００１１】
さらに、従来の面放電ＰＤＰ１０では、長時間使用する場合、放電ガスの荷電粒子が電界によって蛍光体にイオンスパッタリングを引き起こすことによって、永久残像をもたらす問題点がある。
【００１２】
これと共に、前面基板２０に形成された前面誘電体層２５は、蛍光体層３９で励起された可視光線が透過されて外部に通過されるように透明な色彩を有する必要がある。これにより、外部からパネルの内部に入射する光が透明な前面誘電体層２５で反射されて、再び外部に放射される。これにより、明室コントラスト比が高くないという問題点がある。
【００１３】
このような問題点を改善するために非放電部にブラックストライプを配置するか、またはバス電極の線幅を広めることによって、ある程度明室コントラスト比を高めうるが、開口率を一定以上維持するためには、非放電部のサイズが限定され、これにより、ブラックストライプまたはバス電極の幅の増加も限界がある。
【発明の開示】
【発明が解決しようとする課題】
【００１４】
本発明が解決しようとする目的は、前記問題点を解決して、従来のＰＤＰに比べて開口率及び透過率を画期的に向上させ、放電面を大幅に拡大させることによって、放電領域を画期的に拡大させうるＰＤＰを提供することである。
【００１５】
本発明が解決しようとする他の目的は、放電によるプラズマを放電空間の所定部分、例えば、中央部に集中させることによってプラズマの空間電荷を効率的に利用し、低電圧駆動が可能であり、発光効率を画期的に改善し、かつ永久残像現象を画期的に減らせるＰＤＰを提供することである。
【００１６】
本発明が解決しようとするさらに他の目的は、外部光源の外光反射を低減し、蛍光体から放射される可視光線の反射を増加させうる構造を有するＰＤＰを提供することである。
【課題を解決するための手段】
【００１７】
前記目的を達成するために、本発明の第１実施形態によるＰＤＰは、前面基板と、背面基板と、上側隔壁と、上側放電電極と、下側放電電極と、下側隔壁と、蛍光体層と、放電ガスと、を備える。
【００１８】
透明な前面基板と平行に背面基板が配置される。上側隔壁は、前記前面基板と背面基板の間に配置され、発光セルを区画し、かつ誘電体より形成された不透明な色相を有する。上側放電電極及び下側放電電極は、前記発光セルを取り囲むように上側隔壁内に配置される。下側隔壁は、前記上側隔壁と背面基板の間に配置される。蛍光体層は、前記下側隔壁によって限定される空間内に配置される。放電ガスは、前記発光セル内にある。
【００１９】
前記上側隔壁が、暗色を帯びることが望ましい。
【００２０】
また、前記発光セルを取り囲むように前記上側隔壁内に配置される少なくとも一つのフローティング電極をさらに備えるか、または前記前面基板内で一方向に延びるように配置された少なくとも一つのフローティング電極をさらに備えることが望ましい。
【００２１】
本発明の第２実施形態によるＰＤＰは、前面基板と、背面基板と、上側隔壁と、上側放電電極と、下側放電電極と、下側隔壁と、蛍光体層と、放電ガスと、を備える。
【００２２】
透明な前面基板と平行に背面基板が配置される。上側隔壁は、前記前面基板と背面基板の間に配置され、発光セルを区画し、誘電体より形成される暗色の第１上側隔壁、及び前記第１上側隔壁の下面に積層され、誘電体より形成され、前記第１上側隔壁より光反射率の高い第２上側隔壁を備える。上側放電電極及び下側放電電極は、前記発光セルを取り囲むように上側隔壁内に配置される。下側隔壁は、前記上側隔壁と背面基板の間に配置される。蛍光体層は、前記下側隔壁によって限定される空間内に配置される。放電ガスは、前記発光セル内を満たしている。
【００２３】
ここで、前記第２上側隔壁は、明色を帯びることが望ましい。
【００２４】
この場合、前記第１上側隔壁は、暗色を帯びることが望ましい。
【発明の効果】
【００２５】
本発明のＰＤＰによれば、第一に、可視光線が通過する前面基板の部分には基板以外に他の要素が存在しないので、開口率が画期的に向上し、透過率を従来の６０％以下から約９０％まで引き上げることができる。
【００２６】
第二に、上側隔壁により外光が反射されることが防止されることによって、明室コントラスト比が高くなり、蛍光体層で励起された可視光線が反射されることによって輝度が高く、色純度が向上して、結果的に光効率が向上する。
【００２７】
これと共に、ＰＤＰの構造が従来に比べて画期的に変更されて、放電される面及び放電領域が大幅に拡大され、プラズマの量が大幅に増加して紫外線を多く放出し、輝度が高くなり、かつ低電圧駆動が可能で発光効率が向上する。
【発明を実施するための最良の形態】
【００２８】
以下、添付された図面を参照して本発明を詳細に説明する。
【００２９】
まず、図２ないし図４を参照して本発明の第１実施形態によるＰＤＰについて詳細に説明する。
【００３０】
本発明の第１実施形態によるＰＤＰ１００は、前面基板１２０、背面基板１３０、上側隔壁１２７、上側放電電極１２２、下側放電電極１２３、下側隔壁１３７、蛍光体層１３９、及び放電ガス（図示せず）を備える。
【００３１】
可視光線が通過して画像が投影されるように透明な前面基板１２０は、背面基板１３０と平行に配置される。前記前面基板１２０と背面基板１３０間には上側隔壁１２７が形成される。前記上側隔壁１２７は、非放電部に配置されて発光セルを区画する。前記上側隔壁１２７内には上側放電電極１２２及び下側放電電極１２３が発光セルを取り囲むように形成される。この場合、上側放電電極１２２は、下側放電電極１２３の上側に配置された電極を意味する。
【００３２】
前記上側隔壁１２７と背面基板１３０間には下側隔壁１３７が形成されるが、前記下側隔壁１３７は、荷電粒子のクロストークを防止する。前記下側隔壁１３７によって限定される空間内には蛍光体層１３９が配置される。前記発光セル内には放電ガスが満たされている。
【００３３】
ここで、上側放電電極１２２と下側放電電極１２３とを互いに交差するように形成し、前記上側放電電極１２２と下側放電電極１２３のうちの一つがアドレス電極の役割を行い、他の一つが放電電極の役割を行って放電を発生させることができる。
【００３４】
これと異なり、図２及び図３に示すように、前記上側放電電極１２２と下側放電電極１２３とが互いに平行に一方向に延び、前記上側放電電極１２２及び下側放電電極１２３と交差するように延びたアドレス電極１３３をさらに備えることもできる。この場合には、前記上側隔壁１２７の側面が保護膜１２９によって覆われ、前記アドレス電極１３３が背面基板１３０と蛍光体層１３９間に配置され、前記アドレス電極１３３と蛍光体層１３９間には誘電体層１３５が形成されることが望ましい。
【００３５】
このようなＰＤＰ構造の一つの例をさらに具体的に説明すれば、背面基板１３０、前記背面基板１３０の上側に配置され、一方向に延びたアドレス電極１３３、前記アドレス電極１３３を覆う誘電体層１３５、前記誘電体層１３５の上側に形成されて発光セルＣを区画する下側隔壁１３７、前記発光セルの上側を取り囲み、前記アドレス電極１３３と交差するように延びた下側放電電極１２３、前記発光セルの上側を取り囲み、前記走査電極と平行に延びた上側放電電極１２２、前記上側放電電極１２２及び下側放電電極１２３を覆う上側隔壁１２７、前記発光セルの下側で隔壁の側面及び前記隔壁が配置されていない誘電体層上に配置された蛍光体層１３９、前記発光セル内にある放電ガス、及び前記上側隔壁１２７上に背面基板１３０と平行に配置された前面基板１２０を備える。
【００３６】
前記背面基板１３０は、アドレス電極１３３、誘電体層１３５を支持し、通常はガラスを主成分とする材料より製造される。
【００３７】
前記アドレス電極１３３は、前記下側放電電極１２３と上側放電電極１２２間の維持放電をさらに容易にするためのアドレス放電を起こすためのものであって、さらに具体的には、維持放電が開始される電圧を下げる役割を果たす。
【００３８】
背面基板１３０にアドレス電極１３３が形成される場合には、上側放電電極１２２を走査電極とし、下側放電電極１２３を共通電極とすることができる。しかし、上側放電電極１２２を共通電極とし、下側放電電極１２３を走査電極とすることがより望ましく、この場合には、前記走査電極とアドレス電極１３３間の放電パスが短くなってアドレス放電が円滑に引き起こされる。したがって、ここでは説明の便宜上、上側放電電極１２２が共通電極の役割を行い、下側放電電極１２３が走査電極の役割を行うと仮定する。
【００３９】
本実施形態において、下側放電電極１２３と上側放電電極１２２とは発光セルＣの上側を取り囲むように配置される。前記発光セルの上側とは、下側隔壁１３７より高い部分を意味する。
【００４０】
前記下側放電電極１２３と上側放電電極１２２とは相互に交差するように配置されることもある。しかし、背面基板１３０にアドレス電極１３３が形成される場合には、前記下側放電電極１２３と上側放電電極１２２とは相互に平行に配置されることが望ましい。
【００４１】
また、図２では下側放電電極１２３と上側放電電極１２２とがそれぞれ一つの電極として形成されているが、それぞれ２以上の副電極として備えられることもある。
【００４２】
前記アドレス放電は、下側放電電極１２３とアドレス電極１３３間に起こる放電であって、アドレス放電が終了すれば、下側放電電極１２３側に陽イオンが蓄積され、上側放電電極１２２側に電子が蓄積され、これにより、上側放電電極１２２と下側放電電極間１２３の維持放電がさらに容易になる。
【００４３】
前記誘電体層１３５は、放電時に陽イオンまたは電子がアドレス電極１３３に衝突してアドレス電極１３３を損傷させることを防止しつつも電荷を誘導できる誘電体より形成されるが、このような誘電体としては、ＰｂＯ、Ｂ２Ｏ３、ＳｉＯ２などがある。
【００４４】
前記下側隔壁１３７は、単位ピクセルを構成する赤色発光サブピクセル、緑色発光サブピクセル、及び青色発光サブピクセルのうち何れか１サブピクセルに当る発光セルＣ間に誤放電が起こることを防止する。図２には、下側隔壁１３７が発光セルをマトリックス状に区画して示されているが、これに限定されず、蜂の巣状のような他の形態に区画することもできる。また、図２には、前記下側隔壁１３７によって限定される発光セルＣの横断面が四角形で示されているが、これに限定されず、三角形、五角形などの多角形、または円形、楕円形に形成することもできる。
【００４５】
本発明のＰＤＰ１００がアドレス電極１３３を備える場合には、前記下側放電電極１２３と上側放電電極１２２とは維持放電のための電極であって、この電極間でＰＤＰの画像を具現する維持放電が起こる。前記下側放電電極１２３と上側放電電極１２２とは、アルミニウム、銅のような導電性金属により形成される。
【００４６】
この場合、アドレス電極１３３は、前記上側放電電極１２２及び下側放電電極１２３と交差するように延び、この際に、上側放電電極１２２が前記下側放電電極１２３と平行に延びるように形成されることが望ましい。前記下側放電電極１２３がアドレス電極１３３と交差するように延びるということは、アドレス電極１３３の通過する発光セルＣの列と、下側放電電極１２３の通過する発光セルＣの列とが交差するということである。また、上側放電電極１２２が前記下側放電電極１２３と平行に延びるということは、上側放電電極１２２が下側放電電極１２３と一定間隔をおいて共に配置されるということである。
【００４７】
前記上側隔壁１２７は、隣接する発光セルＣを区分けすると同時に、誘電体より形成されて、維持放電時に下側放電電極１２３と上側放電電極１２２とが直接通電されることを防止し、荷電粒子が前記電極１２２，１２３に直接衝突してこれらを損傷させることを防止し、荷電粒子を誘導して壁電荷を蓄積する機能を果たす。
【００４８】
この上側隔壁１２７が、隣接する発光セルＣ間の領域である非放電部Ｎｄに形成されることによって、蛍光体で励起された可視光線Ｖｉが画像を具現するために上側隔壁１２７を通過する必要がない。すなわち、上側隔壁１２７が透明である必要がない。
【００４９】
上側隔壁１２７が透明である必要がないだけでなく、もし上側隔壁１２７が透明であれば、可視光線Ｖｉが隣接する発光セル間を区画する上側隔壁１２７を通過して前記可視光線Ｖｉが隣接する発光セルに濡れ出ることによって、鮮明な画質及び色の具現が低下するという問題点、及びパネルに入射した外光Ｖｏが上側隔壁１２７で反射されることによって明室コントラスト比が減少するという問題点が発生する。
【００５０】
したがって、本発明に採択された上側隔壁１２７は、不透明に形成される。
【００５１】
この場合、前記上側隔壁１２７は、暗色を帯びることが望ましいが、これは暗色が光をよく吸収するためである。すなわち、上側隔壁１２７が暗色を帯びるため、前面基板１２０を通過して入射する外光Ｖｏが上側隔壁１２７で吸収されて反射されなくなることによって、明室コントラスト比が顕著に向上するためである。ここで、暗色とは、マンセル表色系で明度４以下の色を意味する。
【００５２】
ここで、上側隔壁１２７は、ＰｂＯ、またはＢ２Ｏ３、またはＳｉＯ２などを主素材として形成された誘電体に暗色の顔料を含みうる。すなわち、従来のＰＤＰに採択された前面誘電体層を形成する成分に暗色の顔料を含めることによって、容易に上側隔壁１２７が不透明な暗色を帯びる。
【００５３】
この場合、前記顔料成分は、ＣｄＳｅ、ＣｄＳ、ＣｏＯ、Ａｌ２Ｏ３、ＺｎＯ、Ｆｅ２Ｏ３、Ｃｒ２Ｏ３、ＭｎＯ２、ＣｕＯ、ＮｉＯよりなる群から選択された少なくとも一つを含むことが望ましい。
【００５４】
前記上側隔壁１２７は、保護膜１２９によって覆われていることが望ましい。通常、ＭｇＯ膜である保護膜１２９は、必須的な構成要素ではないが、これは荷電粒子が上側隔壁１２７に衝突して上側隔壁を損傷させることを防止し、放電時に２次電子を多く放出する機能を行うので、保護膜１２９が形成されることが望ましい。この場合、保護膜１２９は、上側隔壁１２７の側面にのみ形成されることがさらに望ましいが、製作上の便宜のために、上側隔壁１２７の側面と共に前記上側隔壁１２７が形成されていない前面基板１２０の下面に同時に塗布されることもある。
【００５５】
前記蛍光体層１３９は、前記維持放電によって放射された紫外線を受けて可視光線を放出する成分を含むが、通常、赤色発光サブピクセルに形成された蛍光体層は、Ｙ（Ｖ，Ｐ）Ｏ４：Ｅｕのような蛍光体を含み、緑色発光サブピクセルに形成された蛍光体層は、Ｚｎ２ＳｉＯ４：Ｍｎ、ＹＢＯ３：Ｔｂのような蛍光体を含み、青色発光サブピクセルに形成された蛍光体層は、ＢＡＭ：Ｅｕのような蛍光体を含む。
【００５６】
前記発光セル内に充電される放電ガスは、例えば、Ｘｅが主放電ガスであるＮｅ−Ｘｅ混合ガスであるが、必要に応じてＮｅの一定量がＨｅに代替されることもある。
【００５７】
前記前面基板１２０は、ガラスのように透光性の良好な材料より製造される。前記前面基板１２０の発光セルＣには、図１に示された従来のＰＤＰの前面基板に存在したＩＴＯ（Ｉｎｄｉｕｍ  Ｔｉｎ  Ｏｘｉｄｅ）膜より形成された透明走査電極２３ａと透明共通電極２２ａ、金属より形成されたバス共通電極とバス走査電極２２ｂ，２３ｂ、前記電極２２ａ，２２ｂ，２３ａ，２３ｂを覆う前面誘電体層２５、及び保護膜２９が存在せずに、可視光線の前方透過率が従来の６０％から９０％ほどまで顕著に向上する。したがって、従来のレベルの輝度で画像を具現すれば、前記電極１２２，１２３を相対的に低い電圧で駆動し、したがって、発光効率が向上する。
【００５８】
この場合、上側放電電極１２２及び下側放電電極１２３が、可視光線が透過する前面基板１２０に配置されずに放電空間の側面に配置されているので、放電電極として抵抗の大きい透明電極を使用する必要がなく、抵抗の低い電極、例えば金属電極を放電電極として使用しうるため、放電応答速度が速くなり、波形の歪曲なしに低電圧駆動が可能になる。
【００５９】
一方、本発明の第１実施形態によるＰＤＰ１００は、図５及び図６に示されるように、フローティング電極１２５を備えうる。フローティング電極１２５には別途の能動電圧源が連結されず、電気伝導性の高い材料より形成されている。
【００６０】
この場合、図５に示されるように、フローティング電極１２５は、上側放電電極１２２及び下側放電電極１２３と平行に延び、これら１２２，１２３間に配置されうる。しかし、本発明ではフローティング電極１２５ａが配置される位置は、上側放電電極１２２と下側放電電極１２３間に限定されず、発光セルＣを取り囲むいかなる部分にも配置されうる。また、図５では、フローティング電極１２５の数が１個であるが、複数のフローティング電極１２５が配置されることもある。
【００６１】
これと異なり、図６に示されるように、フローティング電極１２５が前面基板１２０内に一方向に配置されることもある。このような構造を有するＰＤＰ１００では、放電が上、下側放電電極１２２，１２３が位置する上側隔壁１２７の側面だけでなく、前面基板１２０でもなされるため、放電領域が拡大されて放電効率が向上し、放電電圧が低下する。但し、前面基板１２０を通じて放電による可視光が透過されるので、前面基板１２０に配置されるフローティング電極１２５は、ＩＴＯのように透明電極より製造されることが望ましい。
【００６２】
前記のような構成を有するＰＤＰにおいては、アドレス電極１３３と下側放電電極１２３間にアドレス電圧が印加されることによってアドレス放電が起こり、このアドレス放電の結果、維持放電の起こる発光セルＣが選択される。
【００６３】
その後、前記選択された発光セルの下側放電電極１２３と上側放電電極１２２間に交流である維持放電電圧が印加され、下側放電電極１２３と上側放電電極１２２間に維持放電が起こる。もし、フローティング電極１２５が配置される場合には、フローティング電極１２５は上側放電電極１２２の電位と下側放電電極１２３の電位の間の電位を有し、下側放電電極１２３及び上側放電電極１２２と共に維持放電を起こす。
【００６４】
この維持放電によって、励起された放電ガスのエネルギー準位が低くなりつつ紫外線が放出される。そして、この紫外線が発光セル内に塗布された蛍光体層１３９を励起させるが、この励起された蛍光体層のエネルギー準位が低くなりつつ可視光が放出され、この放出された可視光が画像を構成する。
【００６５】
図１に示された従来のＰＤＰにおいては、走査電極２３と共通電極２２間の維持放電が水平方向に起こるため、放電面積が相対的に狭い。しかし、本実施形態によるＰＤＰの維持放電は、発光セルＣを限定する全ての側面で垂直方向に起こるため、放電面積が相対的に広いという長所がある。
【００６６】
また、本実施形態での維持放電は、発光セルＣの側面に沿って閉曲線に形成され、次第に発光セルの中央部に拡散される。これにより、維持放電が起こる領域の体積が増加し、また、従来はあまり使われなかった発光セル内の空間電荷も発光に寄与する。これは、ＰＤＰの発光効率の向上という効果を奏する。
【００６７】
また、本発明の第１実施形態によるＰＤＰの発光セル内では、図３に示されるように、維持放電が発光セルの上側でのみなされるため、従来のＰＤＰの問題点であった荷電粒子による蛍光体のイオンスパッタリングが防止され、これにより、同じ画像を長時間表示しても永久残像が生じないという長所がある。
【００６８】
これと共に、高濃度Ｘｅガスを放電ガスとして使用する場合にも、発光効率を向上させうる。発光効率を高めるために高濃度Ｘｅガスを放電ガスとして使用する場合、低電圧駆動が難しくなるが、本発明のＰＤＰ及びこれを備えた平板表示装置では、前述のように低電圧駆動が可能であるため、高濃度Ｘｅガスを放電ガスとして使用しても低電圧駆動が可能になって発光効率を向上させうる。
【００６９】
一方、本発明の第２実施形態によるＰＤＰ２００の一断面を図７に示し、そのVIII−VIII線に沿って切断した断面を図８に示す。図７及び図８を参照すれば、ＰＤＰ２００は、前面基板１２０と、背面基板１３０と、上側放電電極１２２と、下側放電電極１２３と、上側隔壁２２７と、下側隔壁１３７と、蛍光体層１３９と、放電ガスと、を備えている。これと共に、前記ＰＤＰには保護膜１２９と、アドレス電極１３３と、誘電体層１３５と、がさらに備えられることが望ましい。
【００７０】
ここで、本発明の第２実施形態によるＰＤＰ２００に備えられた前面基板１２０、上側放電電極１２２、下側放電電極１２３、保護膜１２９、背面基板１３０、アドレス電極１３３、誘電体層１３５、下側隔壁１３７、及び蛍光体層１３９は、本発明の第１実施形態によるＰＤＰ１００に備えられた前面基板１２０とその構造及び機能が同じであるため、同じ参照符号を有し、これについての詳細な説明は省略する。
【００７１】
本発明の第２実施形態によるＰＤＰに備えられた上側隔壁２２７は、第１上側隔壁２２７ａ及び第２上側隔壁２２７ｂを備える。
【００７２】
第１上側隔壁２２７ａは、前面基板１２０と背面基板１３０間に配置され、発光セルＣを区画し、かつ誘電体より形成され、第２上側隔壁２２７ｂは、第１上側隔壁の下面２２７ａ’に積層され、誘電体より形成される。
【００７３】
すなわち、第１上側隔壁２２７ａは前面基板の下面１２０’に形成されて、第２上側隔壁２２７ｂに比べて外部に近く配置され、第２上側隔壁２２７ｂは、前記下側隔壁１３７の上面１３７”に形成され、前記第１上側隔壁２２７ａに比べて蛍光体層１３９の近く配置される。
【００７４】
この場合、前記第１上側隔壁２２７ａが暗色を帯びる。これにより、外部から入射する外光Ｖｏが、第２上側隔壁２２７ｂよりも外部に配置された第１上側隔壁２２７ａで吸収されることにより、外部への反射が防止されて、結果的にパネルの明室コントラスト比が向上する。
【００７５】
これと共に、前記第２上側隔壁２２７ｂが第１上側隔壁２２７ａに比べて光反射率が高い。これにより、蛍光体層１３９で励起された可視光線Ｖｉが第２上側隔壁２２７ｂで吸収されずに反射される。したがって、蛍光体層で励起された可視光線Ｖｉが前面基板１２０を通過して外部に放射される量が多くなってパネルの輝度が向上する。この場合、明色が暗色に比べて光を反射する傾向を有するため、第２上側隔壁２２７ｂは、明色を帯びることが望ましい。
【００７６】
すなわち、外部に近く配置された第１上側隔壁２２７ａは、外光Ｖｏを反射しないことによって、パネルの明室コントラスト比を向上させ、これと同時に蛍光体層１３９と近く配置された第２上側隔壁２２７ｂが可視光線Ｖｉを反射することによってパネルの輝度を増加させて、結果的に光効率を向上させうる。
【００７７】
ここで、明色とは、マンセル表色系で明度５以上の色、またはアルミニウム、銀のような光反射率の高い金属色を意味し、暗色とは、マンセル表色系で明度４以下の色を意味する。
【００７８】
ここで、第１上側隔壁２２７ａにはＰｂＯ、またはＢ２Ｏ３、ＳｉＯ２などを主素材として形成された誘電体に暗色の顔料を含まれうる。すなわち、従来のＰＤＰ１０に採択された前面誘電体層２５を形成する成分に暗色の顔料を含めることによって、容易に上側隔壁が不透明な暗色を帯びる。
【００７９】
この場合、前記顔料成分は、ＣｄＳｅ、ＣｄＳ、ＣｏＯ、Ａｌ２Ｏ３、ＺｎＯ、Ｆｅ２Ｏ３、Ｃｒ２Ｏ３、ＭｎＯ２、ＣｕＯ、ＮｉＯよりなる群から選択された少なくとも一つを含むことが望ましい。
【００８０】
一方、上側隔壁２２７で第１上側隔壁２２７ａの高さと第２上側隔壁２２７ｂの高さとの比を調節することによって明室コントラスト比及び輝度を最適に向上させうる。すなわち、第１上側隔壁の下面２２７ａ’を上側放電電極１２２の上側に配置させるか、または上側放電電極１２２及び下側放電電極１２３間に配置させるか、または下側放電電極１２３の下側に形成させうる。
【００８１】
特に、上側放電電極１２２は、前記第１上側隔壁２２７ａ内に配置され、前記下側放電電極１２３は、前記第２上側隔壁２２７ｂ内に配置されるように第１上側隔壁２２７ａ及び第２上側隔壁２２７ｂを形成させれば、明室コントラスト比及び輝度を同時に適切に増加させうる。
【００８２】
図９は図８の第１変形例を示す断面図である。図９を参照すれば、本発明の第２実施形態によるＰＤＰの第１変形例はフローティング電極２２５を備え、このフローティング電極２２５は上側放電電極１２２及び下側放電電極１２３と平行に延び、それら１２２，１２３間に配置されている。フローティング電極２２５には別途の能動電圧源が連結されず、電気伝導性の高い材料より形成されている。フローティング電極２２５が配置される位置は、上側放電電極１２２と下側放電電極１２３間に限定されず、発光セルＣを取り囲むいかなる部分にも配置されうる。また、図９ではフローティング電極２２５の数が１個であるが、複数のフローティング電極が配置されることもある。これと共に、図９では前記フローティング電極が第２上側隔壁２２７ｂに形成されているが、これに限定されず、第１上側隔壁２２７ａに形成されるか、あるいは第１上側隔壁２２７ａ及び第２上側隔壁２２７ｂにわたって形成されることもある。
【００８３】
図１０は図８の第２変形例を示す断面図である。図１０を参照すれば、フローティング電極２２５が前面基板１２０内に一方向に配置されている。このような構造を有するＰＤＰ２００では、放電が上、下側放電電極１２２，１２３が位置する第１、２上側隔壁２２７ａ，２２７ｂの側面だけでなく、前面基板１２０でもなされるため、放電領域が拡大されて放電効率が向上し、放電電圧が低下する。但し、前面基板１２０を通じて放電による可視光が透過されるので、前面基板１２０に配置されるフローティング電極２２５はＩＴＯのように透明電極より製造されることが望ましい。
【００８４】
本発明は図面に示された実施形態を参考として説明されたが、これは例示的なものに過ぎず、当業者ならば、これからの多様な変形及び均等な他の実施形態が可能であることが分かる。したがって、本発明の真の技術的保護範囲は、特許請求の範囲の技術的思想によって決定されなければならない。
【産業上の利用可能性】
【００８５】
本発明は、多様な入力信号と連結されて既存の映像ディスプレイ装備より明るくて鮮明な高画質の映像を再現でき、特に、４０”以上の大型画面を１０ｃｍ以下の薄い厚さに具現できて空間活用及び美的デザインの側面で非常に大きい長所を有しているＰＤＰ装置に適用されうる。
【図面の簡単な説明】
【００８６】
【図１】従来のＰＤＰを示す分離斜視図である。
【図２】本発明の第１実施形態によるＰＤＰを示す分離斜視図である。
【図３】図２のIII−III線に沿って切断した断面図である。
【図４】図３のIV線に沿って切断した断面図である。
【図５】図３の第１変形例を示す断面図である。
【図６】図３の第２変形例を示す断面図である。
【図７】本発明の第１実施形態によるＰＤＰを示す分離斜視図である。
【図８】図７のVIII−VIII線に沿って切断した断面図である。
【図９】図８の第１変形例を示す断面図である。
【図１０】図８の第２変形例を示す断面図である。
【符号の説明】
【００８７】
１００  ＰＤＰ、
１２０  前面基板、
１２２  上側放電電極、
１２３  下側放電電極、
１２７  上側隔壁、
１２９  保護膜、
１３０  背面基板、
１３３  アドレス電極、
１３５  誘電体層、
１３７  下側隔壁、
１３９  蛍光体層、
Ｃ  発光セル。
【図１】
2005276810.tif 000003
【図２】
2005276810.tif 000004
【図３】
2005276810.tif 000005
【図４】
2005276810.tif 000006
【図５】
2005276810.tif 000007
【図６】
2005276810.tif 000008
【図７】
2005276810.tif 000009
【図８】
2005276810.tif 000010
【図９】
2005276810.tif 000011
【図１０】
2005276810.tif 000012